(57)【特許請求の範囲】
【請求項１】
移動体の上面にタイルを載せ、該移動体を移動させながら該タイルを印刷用ローラの外周面に接触させて該タイルに印刷を施すタイルの加飾方法において、
該タイルは一辺が面取りされた形状の片面取りタイルであり、
該移動体には、移動方向の先頭側が高位となる弾性材料製の台座が設けられており、
該タイルは前記一辺側が先頭側となるようにして該台座の上に載置され、
前記ローラによって該タイルの該一辺側の木端面にも印刷を施すようにしたことを特徴とする片面取りタイルの加飾方法。
【発明の詳細な説明】
【０００１】
【発明の属する技術分野】
本発明は、タイルに印刷によって加飾を施すようにした加飾方法に係り、特に、ロールによって印刷を行う加飾方法に関する。さらに詳しくは、本発明は一辺が片面取りされた片面取りタイルの該一辺側の木端面にも加飾を施すようにした片面取りタイルの加飾方法に関する。
【０００２】
【従来の技術】
タイルは、周知の通り、粘土、長石、陶石等のタイル製造用原料を成形し、必要に応じ施釉によって加飾した後、焼成し、タイル製品とされる。なお、内装用タイルの場合は、原料成形体を焼成した後、施釉し、その後、再度焼成（釉焼き）が行われる。外装タイルの場合は、一度焼きにて製造されている。
【０００３】
このタイルの加飾方法として、釉薬によるタイル表面への模様付けがある。この模様付けを行う技法として、スクリーン印刷やローラ印刷等の技法がある。スクリーン印刷は、タイル上に配置された金属、ナイロン等からなるスクリーン上に絵の具を供給し、この絵の具をスキージでスクリーン上に均してタイル表面に模様付けするものである。
【０００４】
ローラによる模様付けは、凹版用の凹部を外周面に有したローラに絵の具を供給し、該ローラを回転させると共にスキージで均することにより絵の具を凹部内に分配し、このローラをタイルと接触させてタイルに印刷を施すものである。また、この他に凸版用の凸部を外周面に有したローラの凸部に絵の具を供給し、そのローラの凸部をタイルと接触させてタイルに印刷を施すものがある。
【０００５】
図３はこのローラ印刷方式による加飾技法の一例（特開平８−９０７６３号記載）を示す側面図である。
【０００６】
ロール印刷機１の下面にはほぼ水平方向に移動するコンベアベルト２が配設されており、このコンベアベルト２上にタイルＴを載せて、ほぼ水平方向にタイルＴを移動できるものとなっている。コンベアベルト２の上方部には、大径の印刷ローラ３が回転可能に配置されている。この印刷ローラ３の外周面はゴムで形成されており、このゴムの外周部に波模様、縞模様等の模様が刻印されている。
【０００７】
この印刷ローラ３の上側には、該ローラ３に当接して回転可能に金属ローラ４が配設されている。また、印刷ローラ３の右側方には該ローラ３に当接して回転する金属ローラ５が配設されている。この金属ローラ５の、さらに右側方にゴムローラ６が回転可能に配設され、さらにゴムローラ６の右側方にはゴムローラ７が回転可能に配設されている。これらの印刷ローラ３、金属ローラ４，５、ゴムローラ６，７はカバー８内に収納されたものとなっており、図示しない高さ調節装置により、カバー８内のローラ３，４，５，６，７全体が上下方向に高さ調節できるように構成されている。
【０００８】
前記ゴムローラ６の下面部には絵の具９を溜める部材が配設されており、溜められた絵の具９はゴムローラ６の回転によりゴムローラ６の周面に付着して、前記金属ローラ５の周面に絵の具９が送り出され、金属ロール５に付着した絵の具９がさらに前記印刷ローラ３の周面に供給される。金属ローラ５は、印刷ローラ３の外周面に付着させる絵の具９の付着量を調節する機能を有するものであり、また、前記金属ローラ４は、絵の具９を印刷ローラ３の周面に均一にならす役目を果たす。
【０００９】
このようにして印刷ローラ３の周面に付着した絵の具９は、印刷ローラ３の回転により、タイルＴの表面に波模様、縞模様等の模様として印刷される。
【００１０】
【発明が解決しようとする課題】
タイルの一種として、一辺の木端面を曲面とした片面取りタイルがある。この片面取りタイルは、例えば図４の如く階段の段の鼻部分に用いられたり、図示はしないが建築物の出隅部分などに用いられている。なお、図４において符号１０は片面取りタイル、１１は方形のタイルを示している。
【００１１】
このような片面取りタイルを図３の如きローラ印刷機によって加飾しようとすると、タイル１０の上面には加飾が行われるものの、曲面となっている木端面１０ａには加飾が行われない。この曲面よりなる木端面１０ａは、タイル張り施工後、外部に露出して見える面となるため、この木端面１０ａに加飾が施されていないと、タイル１０の上面の意匠と木端面１０ａの意匠とが別異のものとなる。かかる木端面１０ａの意匠が別異のものは、上面にプリント印刷を施した人工的なイメージが強くなり、例えば大理石調など自然石調の加飾を上面に施した場合でも人工的なイメージが感取され、折角の自然石調の模様付け効果が低くなってしまう。
【００１２】
本発明は、片面取りタイルの曲面ないし傾斜面よりなる木端面に対してもタイル上面（前面）と同一の加飾を連続して施すことができる片面取りタイルの加飾方法を提供することを目的とする。
【００１３】
【課題を解決するための手段】
本発明の片面取りタイルの加飾方法は、移動体の上面にタイルを載せ、該移動体を移動させながら該タイルを印刷用ローラの外周面に接触させて該タイルに印刷を施すタイルの加飾方法において、該タイルは一辺が面取りされた形状の片面取りタイルであり、該移動体には、移動方向の先頭側が高位となる弾性材料製の台座が設けられており、該タイルは前記一辺側が先頭側となるようにして該台座の上に載置され、前記ローラによって該タイルの該一辺側の木端面にも印刷を施すようにしたことを特徴とするものである。
【００１４】
かかる片面取りタイルの加飾方法によると、移動体上の弾性材料製の台座に載って移動してきた片面取りタイルは、その曲面又は傾斜面よりなる木端面がローラに接触し、該木端面にも印刷が施され、その後、タイルの上面にも該ローラによって印刷が施される。従って、片面取りタイルの上面（前面）だけでなく曲面又は傾斜面よりなる木端面にも該上面（前面）に連続する模様よりなる加飾が施されるようになる。
【００１５】
なお、本発明の片面取りタイルは、１つの木端面が曲面よりなる場合に適用するのにきわめて好適であるが、１つの木端面が傾斜面よりなる片面取り形状のタイルにも適用できる。
【００１６】
【発明の実施の形態】
以下、図面を参照して実施の形態について説明する。図１は実施の形態に係る片面取りタイルの加飾方法を示す側面図、図２（ａ）は、図１の要部拡大図、図２（ｂ）はロール２３による印刷途中の側面図である。
【００１７】
図１の通り、１対のロール１８，１９間に無端回動するようにコンベアベルト２０が架け渡されている。ロール１８，１９の一方は駆動ロールとなっており、他方のロールは従動ロールとなっている。この駆動ロールをモータ等の原動装置によって駆動することにより、コンベアベルト２０が定速無端回動する。
【００１８】
このコンベアベルト２０の外面には一定間隔をおいてスポンジ等の弾性軟質材料製の台座２１が取り付けられている。
【００１９】
この実施の形態にあっては、台座２１は直角三角柱形状であり、コンベアベルト２０の移動方向先頭側が高位となるように配置されている。この台座２１上に片面取りタイル２２が載せられ、印刷用ローラ２３，２４，２５によってタイル２２の上面及び曲面よりなる木端面２２ａに加飾が施される。印刷用ローラは１基でもよいが、本実施の形態では３基のローラによって３色の重ね刷りを行い、大理石調等の高級感の高い模様付けを行っている。
【００２０】
台座２１に対しては、片面取りタイル２２は、その先頭側に曲面よりなる木端面２２ａが配置されるように載置される。また、このタイル２２の先頭側は、台座２１の先頭側の上端と合致するか、それよりも若干（例えば０．１〜１０ｍｍ程度）先頭側へ突出するように台座２１上に載置される。
【００２１】
ローラ２３，２４，２５は、それらの下端が台座２１の先頭側の最高位レベルよりも下方に位置するように設置される。このローラ２３，２４，２５は前記図３と同様の絵の具供給機構を有している。ただし、図２では、図面の大きさの関係上、絵の具供給の各ローラは図示が省略されている。
【００２２】
なお、ローラによる模様付けは凹版、凸版どちらでもよい。
【００２３】
このように構成された印刷装置によってタイル２２の加飾を行うには、コンベアベルト２０を定速にて無端回動させると共に、このコンベアベルト２０の台座２１上に図示しないタイル移載装置によって片面取りタイル２２を載せる。この際、片面取りタイル２２の木端面２２ａが移動方向の先頭側となるようにする。
【００２４】
このタイル２２は、順次にローラ２３，２４，２５によって印刷が施される。この場合、図２（ａ）のようにまずタイル２２の木端面２２ａがローラ２３，２４又は２５の外周面に当って該木端面２２ａへの印刷が施され、引き続いて図２（ｂ）のように台座２１が押し縮められるように変形してタイル２２が略水平状態となり、タイル２２の上面にも当該ローラ２３，２４又は２５によって印刷が施される。これにより、片面取りタイル２２の上面（前面）及び木端面２２ａの全体に加飾を施すことができる。
【００２５】
この加飾工程後、乾燥及び焼成工程を経て製品タイルとされる。
【００２６】
上記実施の形態では、台座２１は三角柱形状であるが、片面取りタイル２２の木端面２２ａが高位となるように該タイル２２を載せて支承しうる他の形状の台座を用いてもよい。
【００２７】
この台座は弾性軟質材料製であることが好ましいが、バネによって支承された板などを用いてもよい。
【００２８】
【発明の効果】
以上の通り、本発明によると、片面取りのタイル上面ないし前面だけでなくタイル張り施工された際に人によって視覚される木端面に対しても上面ないし前面と連続して加飾を施すことができる。従って、本発明によると大理石調等の高級感に富んだ模様を有する片面取りタイルを効率良く製造することが可能となる。
【図面の簡単な説明】
【図１】実施の形態に係る片面取りタイルの加飾方法を示す側面図である。
【図２】（ａ）図は、図１の要部拡大図、（ｂ）図はローラ３による印刷途中の側面図である。
【図３】従来のローラ印刷による加飾方法の説明図である。
【図４】階段のタイル割り付けの説明図である。
【符号の説明】
２０  コンベアベルト
２１  台座
２２  片面取りタイル
２２ａ  木端面
２３，２４，２５  ローラ
【図１】
0003580237.tif 000002
【図２】
0003580237.tif 000003
【図３】
0003580237.tif 000004
【図４】
0003580237.tif 000005